(57)【特許請求の範囲】
【請求項１】
同一の使用者に対して複数の検針対象それぞれの固有の識別番号を対応させるリストである検針共通データ、及び前記複数の検針対象それぞれの検針プログラム、検針データを記憶する記憶手段と、
使用者が選択されると、前記検針共通データに基づいて選択された使用者に対応する前記複数の検針対象の識別番号をすべて表示する表示手段と、
前記表示手段に表示された前記複数の検針対象の識別番号から検針員の操作により前記複数の検針対象のいずれか一つを選択する検針対象選択手段と、
前記検針対象選択手段により選択された検針対象の検針プログラムを起動し、検針データの格納及び該検針データに関する検針帳票の印刷を制御する制御手段とを有し、
複数の検針対象の前記検針プログラムは、互いに独立して動作するように前記記憶手段に記憶されていることを特徴とする同時検針用携帯型情報検針端末機器。
【発明の詳細な説明】
【技術分野】
【０００１】
本発明は、複数の検針対象、例えば電力量と水道量を同時に検針する同時検針用携帯型情報検針端末機器に関するものである。
【背景技術】
【０００２】
検針員が携帯型情報検針端末機器（以下ハンディターミナルとも云う）を携帯し、ハンディターミナルは各需要家のメータの検針値を自動的に読みとって検針値を入力している。或いは検針員が検針値を目視で読みとってハンディターミナルに手動で入力している。検針結果のお知らせ票や振込用紙などの検針帳票が現場でプリントアウトされ、需要家に渡される。そして、電力、水道などの供給事業体のホストコンピュータとハンディターミナルとの間で情報が入出力される（特許文献１）。
【特許文献１】特許第３４５９２４３号公報
【発明の開示】
【発明が解決しようとする課題】
【０００３】
従来、一つのハンディターミナルは１種類の検針対象（例えば電力量）にしか検針業務に使うことができなかった。そのため、検針の作業効率が悪かった。
【０００４】
（本発明の目的）
本発明の目的は、複数の検針対象を同時に検針することができる同時検針用携帯型情報検針端末機器を提供することである。
【課題を解決するための手段】
【０００５】
上記目的を達成するために、本発明の同時検針用携帯型情報検針端末機器は、同一の使用者に対して複数の検針対象それぞれの固有の識別番号を対応させるリストである検針共通データ、及び前記複数の検針対象それぞれの検針プログラム、検針データを記憶する記憶手段と、使用者が選択されると、前記検針共通データに基づいて選択された使用者に対応する前記複数の検針対象の識別番号をすべて表示する表示手段と、前記表示手段に表示された前記複数の検針対象の識別番号から検針員の操作により前記複数の検針対象のいずれか一つを選択する検針対象選択手段と、前記検針対象選択手段により選択された検針対象の検針プログラムを起動し、検針データの格納及び該検針データに関する検針帳票の印刷を制御する制御手段とを有し、複数の検針対象の前記検針プログラムが、互いに独立して動作するように前記記憶手段に記憶されていることを特徴とするものである。
【発明の効果】
【０００６】
本発明によれば、複数の検針対象を同時に検針することができる。
【発明を実施するための最良の形態】
【０００７】
本発明を実施するための最良の形態は後述する実施例に記載の通りである。
【実施例】
【０００８】
図１は本発明の一実施例である同時検針用携帯型情報検針端末機器（ハンディターミナル）の内部構成を示すブロック図である。この実施例は電力と水道の同時検針用のものである。ハンディターミナル１は、特定小電力を使う無線通信部２、液晶表示素子を用いた表示部３、３２キーのキーボードから成る操作部４、無線モデム５、入出力ポート６、ＣＰＵ７、メモリとしてのＦＲＡＭ８、ＲＡＭ９、メモリカード１０、充電回路１１及びバッテリパック１２を有する。
【０００９】
無線通信部２は無線モジュール付の電力量計１３や無線モジュール付の電子式水道メータ１４より検針値を読みとり、取り込む。無線モデム５は分離型プリンタ１５にその無線モデム１６を経て接続され、分離型プリンタ１５は、ＣＰＵ７からの指令信号にしたがって検針結果のお知らせ票や振込用紙などの検針帳票を印刷する。分離型プリンタ１５は、ＣＰＵ１７、例えばサーマルプリンタによる用紙幅１１４ｍｍの印字部１８、バッテリパック１９を有する。
【００１０】
ＦＲＡＭ８は、オペレーティングシステム（ＯＳ）、電力検針アプリケーションソフトプログラム（以下電力検針プログラムという）及びデータ、水道検針アプリケーションソフトプログラム（以下水道検針プログラムという）及びデータ、電力・水道検針共通データを格納するものである。これらはそれぞれ個別のファイルを使用する独立動作構造となっている。メモリカード１０は、バックアップのために、電力検針プログラム及びデータ、水道検針プログラム及びデータ、電力・水道検針共通データを記憶している。
【００１１】
図２は、住民基本台帳などを参照して、全世帯分の電力データと水道データとを対応させるために作成されたデータ抽出用のマスタテーブルを示す。このマスタテーブルは、例えば検針データセンターのコンピュータに格納される。マスタテーブルには、例えば図２に示されるように、世帯番号、足順番号、電力お客さま番号（電力の識別番号）、水栓番号（水道の識別番号）、使用者名などがリストアップされている。足順番号とは、検針員が検針のために使用者宅を訪問する順番である。
【００１２】
このマスタテーブルから、ハンディターミナルに配布するための配布データファイルが生成される。配布データファイルは、図３に示されるように、検針共通データファイル、電力検針データファイル、汎用水道検針データファイルの３つの個別のデータファイルからなる。検針共通データファイルは、マスタテーブルのうちの訪問する使用者をリストアップしたものであり、使用者を選択するために使用される。電力検針データファイルは電力検針プログラムにおいて使用者個々の電力検針データを格納するために使用される。汎用水道検針データファイルは水道検針プログラムにおいて使用者個々の水道検針データを格納するために使用される。水道検針データは、地域によって異なるので、すべての地域に共通の汎用水道検針データに変換されて汎用水道検針データファイルに格納される。
【００１３】
以上のようにして生成された配布データファイルは、ハンディターミナル１にダウンロードされ、ＦＲＡＭ８に記憶される。検針員はハンディターミナル１を携帯して図２の足順番号にしたがって使用者を訪問し、検針作業を行う。
【００１４】
図４はハンディターミナル１の同時検針処理動作を示すフローチャートである。
【００１５】
ステップＳ１で電源ボタンが押されたことにより電源が投入されたことを検出すると、ステップＳ２にてＣＰＵ７は表示部３に図５に示されるようなお客さま選択画面を表示させる。ここで、検針員は表示された使用者名を見て、使用者名が合っていれば操作部４の電力検針ボタンか水道検針ボタンかを押す。使用者名が合っていなければ操作部４の前進ボタンか後進ボタンを押すことにより検針しようとする使用者名を選択する。
【００１６】
ステップＳ３では検針員が操作した処理ボタンを選択し、ステップＳ４にて電力検針ボタンが押されたことを判別すると、ステップＳ１１に進む。ステップＳ５にて水道検針ボタンが押されたことを判別すると、ステップＳ１７に進む。
【００１７】
表示された使用者名が検針しようとする使用者名と一致しない場合に前進ボタンか後進ボタンが押されると、ステップＳ６或いはステップＳ７にてＣＰＵ７がそれを判別し、ステップＳ８或いはステップＳ９にて表示部３のお客さま選択画面を変更する。その後、ステップＳ２に戻る。ステップＳ１０にて電源断ボタンが押されたことを判別すると、同時検針処理動作を終了する。
【００１８】
ステップＳ４からステップＳ１１に進むと、ＣＰＵ７は電力検針プログラムを起動する。ステップＳ１２では表示部３に例えば図６に示されるような電力検針画面を表示させる。ステップＳ１３では無線通信部２により取り込んだ検針値をＦＲＡＭ８中の電力検針データファイルに記憶する。ステップＳ１４では検針値を処理し、例えば電力料金を算出する。処理したデータも電力検針データファイルに記憶する。
【００１９】
ステップＳ１５では電力検針データなどを分離型プリンタ１５へ送り、お知らせ票や振込用紙などの検針帳票を印刷させる。ステップＳ１６では電力検針完了処理を行う。すなわち、電力検針をハンディターミナル操作により行った結果（検針値データ等のお知らせ票に印刷されているデータ）、電力量計１３の点検時データ、お客さまデータを確定データとして必要な記憶エリアに記憶する処理を行い、ステップＳ２へ戻る。
【００２０】
ステップＳ５からステップＳ１７に進むと、ＣＰＵ７は水道検針プログラムを起動する。ステップＳ１８では表示部３に例えば図７に示されるような水道検針画面を表示させる。ステップＳ１９では無線通信部２により取り込んだ検針値をＦＲＡＭ８中の水道検針データファイルに記憶する。ステップＳ２０では検針値を処理し、例えば水道料金を算出する。処理したデータも水道検針データファイルに記憶する。
【００２１】
ステップＳ２１では水道検針データなどを分離型プリンタ１５へ送り、お知らせ票や振込用紙などの検針帳票を印刷させる。ステップＳ２２では水道検針完了処理を行う。すなわち、水道検針をハンディターミナル操作により行った結果（検針値データ等のお知らせ票に印刷されているデータ）、電子式水道メータ１４の点検時データ、お客さまデータを確定データとして必要な記憶エリアに記憶する処理を行い、ステップＳ２へ戻る。
【００２２】
本実施例においては、検針共通データファイルには使用者の電力と水道を対応させる検針共通データを格納させており、この検針共通データファイルをハンディターミナル１が有しているので、１人の検針員が１つのハンディターミナルを用いて電力量と水道量を同時に検針することができる。
【００２３】
また、電力検針プログラムと水道検針プログラムはそれぞれ個別のファイルを使用する独立動作構造となっているので、万一どちらかの検針業務でデータ破壊が生じた場合でも、他方の検針業務の遂行が可能となる。
【００２４】
図示実施例では、電力と水道の同時検針の場合を説明したが、これに限定されるものではなく、電力、水道、ガスなどの２種類以上の検針対象を同時に検針する場合にも本発明は適用できるものである。
【００２５】
さらに、本発明は、プリンタ一体型のハンディターミナルや検針値手動入力形のハンディターミナルにも適用できるものである。
【図面の簡単な説明】
【００２６】
【図１】本発明の一実施例である同時検針用携帯型情報検針端末機器の内部構成を示すブロック図である。
【図２】本発明の一実施例に係るマスタテーブルの例を示す図である。
【図３】本発明の一実施例に係る配布データファイルを示す図である。
【図４】図１の同時検針用携帯型情報検針端末機器の動作を示すフローチャートである。
【図５】本発明の実施例におけるお客さま選択画面の例を示す図である。
【図６】本発明の実施例における電力検針画面の例を示す図である。
【図７】本発明の実施例における水道検針画面の例を示す図である。
【符号の説明】
【００２７】
１    同時検針用携帯型情報検針端末機器（ハンディターミナル）
３    表示部
４    操作部
７    ＣＰＵ
８    ＦＲＡＭ
９    ＲＡＭ
１０  メモリカード
１３  電力量計
１４  電子式水道メータ
１５  分離型プリンタ
【図１】
0005314829.tif 000002
【図２】
0005314829.tif 000003
【図３】
0005314829.tif 000004
【図４】
0005314829.tif 000005
【図５】
0005314829.tif 000006
【図６】
0005314829.tif 000007
【図７】
0005314829.tif 000008